【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
第１の装置における第１の広告コンテンツの出力を管理する第１の広告管理部と、
前記第１の装置とは異なる第２の装置における前記第１の広告コンテンツに関連する第２の広告コンテンツの出力を管理する第２の広告管理部と、
前記第１の広告管理部が前記第１の装置から取得した第１の情報と、該第１の情報に関連付けて前記第２の広告コンテンツの動作を定義した連動出力設定情報とに基づいて、前記第２の広告管理部を介して前記第２の装置における前記第２の広告コンテンツの出力を制御する連動出力制御部と
を備える情報処理装置。
【請求項２】
前記第１の情報は、前記第１の装置において前記第１の広告コンテンツの出力の開始または変化のトリガが発生したことを示す情報を含む、請求項１に記載の情報処理装置。
【請求項３】
前記第１の情報は、前記第１の装置において取得されたユーザ操作を示す情報を含む、請求項２に記載の情報処理装置。
【請求項４】
前記第１の情報は、前記第１の装置におけるセンシング結果を示す情報を含む、請求項２または３に記載の情報処理装置。
【請求項５】
前記連動出力制御部は、前記第１の情報が取得された場合に前記第２の装置における前記第２の広告コンテンツの出力を開始させる、請求項２〜４のいずれか１項に記載の情報処理装置。
【請求項６】
前記連動出力制御部は、前記第１の情報が取得された場合に前記第２の装置における前記第２の広告コンテンツの出力を変化させる、請求項２〜５のいずれか１項に記載の情報処理装置。
【請求項７】
前記第２の広告管理部は、前記第２の装置における前記第２の広告コンテンツの表示を管理し、
前記連動出力制御部は、前記第１の情報が取得された場合に前記第２の装置における前記第２の広告コンテンツの表示を静止画から動画に切り替える、請求項６に記載の情報処理装置。
【請求項８】
前記第２の広告管理部は、前記第２の装置における前記第２の広告コンテンツの表示を管理し、
前記連動出力制御部は、前記第１の情報が取得された場合に前記第２の装置における前記第２の広告コンテンツの表示領域を変化させる、請求項６または７に記載の情報処理装置。
【請求項９】
前記連動出力制御部は、前記連動出力設定情報を外部装置から取得する、請求項１〜８のいずれか１項に記載の情報処理装置。
【請求項１０】
前記第１の広告管理部は、前記第１の広告コンテンツを前記外部装置から取得し、
前記第２の広告管理部は、前記第２の広告コンテンツを前記外部装置から取得する、請求項９に記載の情報処理装置。
【請求項１１】
前記情報処理装置は、前記第２の装置を含み、出力部における前記第２の広告コンテンツの出力を制御する出力制御部をさらに備え、
前記第１の広告管理部は、前記第１の広告コンテンツを前記第１の装置に転送するとともに前記第１の情報を前記第１の装置から受信し、
前記第２の広告管理部は、前記第２の広告コンテンツを前記出力制御部に提供する、請求項１０に記載の情報処理装置。
【請求項１２】
前記情報処理装置は、前記第１の装置を含み、出力部における前記第１の広告コンテンツの出力を制御する出力制御部をさらに備え、
前記第１の広告管理部は、前記第１の広告コンテンツを前記出力制御部に提供するとともに前記第１の情報を内部的に取得し、
前記第２の広告管理部は、前記第２の広告コンテンツを前記第２の装置に転送するとともに、前記第２の広告コンテンツの出力を制御するための制御信号を前記第２の装置に送信する、請求項１０に記載の情報処理装置。
【請求項１３】
前記第１の情報は、携帯可能な前記第１の装置が前記第２の装置に近接したことを示す情報を含み、
前記第１の広告管理部は、前記第１の情報が取得された場合に前記第１の装置における前記第１の広告コンテンツの出力を開始させる、請求項１〜１２のいずれか１項に記載の情報処理装置。
【請求項１４】
前記連動出力制御部は、前記第１の情報によって所定の数以上の前記第１の装置が前記第２の装置に近接して前記第１の広告コンテンツを出力していることが示される場合に、前記第２の装置における前記第２の広告コンテンツの出力を変化させる、請求項１３に記載の情報処理装置。
【請求項１５】
前記第１の情報は、前記第１の広告コンテンツが出力されている前記第１の装置において取得された所定のユーザ操作を示す情報をさらに含み、
前記連動出力制御部は、前記第１の情報によって所定の数以上の前記第１の装置において前記所定のユーザ操作が取得されたことが示される場合に、前記第２の装置における前記第２の広告コンテンツの出力を変化させる、請求項１３または１４に記載の情報処理装置。
【請求項１６】
前記第１の広告コンテンツと前記第２の広告コンテンツとは、一続きの広告コンテンツを分割することによって生成され、
前記連動出力制御部は、前記第１の装置および前記第２の装置の数に応じて、前記一続きの広告コンテンツをいくつに分割するかを決定する、請求項１〜１５のいずれか１項に記載の情報処理装置。
【請求項１７】
第１の装置における第１の広告コンテンツの出力を管理することと、
前記第１の装置とは異なる第２の装置における前記第１の広告コンテンツに関連する第２の広告コンテンツの出力を管理することと、
前記第１の装置から取得された第１の情報と、該第１の情報に関連付けて前記第２の広告コンテンツの動作を定義した連動出力設定情報とに基づいて、前記第２の装置における前記第２の広告コンテンツの出力を制御することと
を含む情報処理方法。
【請求項１８】
第１の装置における第１の広告コンテンツの出力を管理する機能と、
前記第１の装置とは異なる第２の装置における前記第１の広告コンテンツに関連する第２の広告コンテンツの出力を管理する機能と、
前記第１の装置から取得された第１の情報と、該第１の情報に関連付けて前記第２の広告コンテンツの動作を定義した連動出力設定情報とに基づいて、前記第２の装置における前記第２の広告コンテンツの出力を制御する機能と
をコンピュータに実現させるためのプログラム。
【手続補正２】
【補正対象書類名】明細書
【補正対象項目名】００１０
【補正方法】変更
【補正の内容】
【００１０】
以上説明したように本開示によれば、複数のデバイスを利用してより訴求力のある広告コンテンツの表現を実現することができる。
【手続補正３】
【補正対象書類名】明細書
【補正対象項目名】００４２
【補正方法】変更
【補正の内容】
【００４２】
図３Ｂは、本実施形態における広告連動時の状態を示す。本実施形態でも、第１の実施形態と同様に、タブレット端末２００およびテレビ３００で広告コンテンツ（Ａｄ）が表示されているときに、タブレット端末２００で広告コンテンツに対するユーザ操作（Ｃｌｉｃｋ！）が与えられると、テレビ３００における広告コンテンツの表示が変化する。第１の実施形態との相違として、本実施形態では、タブレット端末２００が直接的にテレビ３００における広告コンテンツの表示を制御する（Ｃｏｎｔｒｏｌ）。テレビ３００における変化後の表示は、例えば、異なるサイズの表示領域での表示内容や、Ｗｅｂサイトのアドレス、動画コンテンツに基づいてされるが、これらの情報またはデータは、広告配信時に配信された広告コンテンツに含まれていてもよいし、テレビ３００がタブレット端末２００からの制御信号を受信したときに広告サーバ１００から追加で取得されてもよい。
【手続補正４】
【補正対象書類名】明細書
【補正対象項目名】００８０
【補正方法】変更
【補正の内容】
【００８０】
（４−３．まとめ）
以上で説明したような本開示の第４の実施形態によれば、スレーブ端末５００が広告サーバ１００とは通信せず、専らマスタ端末４００と通信するような場合であっても、上記の第３の実施形態と同様の機能を実現することが可能である。マスタ端末４００も、広告配信時を除いては広告サーバ１００との通信をしなくてもよい。従って、広告サーバ１００との通信が困難な状況でも、端末間の通信が可能であれば、端末間で連動した広告コンテンツの表示を実現することができる。
【手続補正５】
【補正対象書類名】明細書
【補正対象項目名】００８２
【補正方法】変更
【補正の内容】
【００８２】
図１０は、本開示の第５の実施形態の機能構成を概略的に示すブロック図である。図１０を参照すると、本実施形態に係るシステム５０は、広告サーバ１００と、タブレット端末２００と、電子ビルボード６００とを含む。広告サーバ１００およびタブレット端末２００については、第２の装置が電子ビルボード６００である点を除いては上記の第１の実施形態と同様であるため、後述する連動表示設定情報１４４を除いて詳細な説明は省略する。